(57)【要約】      （修正有）【課題】ビブスの形態と、手提げ袋の形態とをとり得るバッグ及び衣服を提供する。【解決手段】バッグ１０は、筒状体１４であって、該筒状体の一端の開口部１４ａにつながる２つの係り部１２を有する筒状体と、前記筒状体の他端の開口部１４ｂを開閉可能にする留め具としてのファスナー１６とを備える。バッグ１０は、前記留め具が閉状態にあるとき、手提げ袋として使用可能な第１形態となり、前記留め具が開状態にあるとき、ビブスとして使用可能な第２形態となる。【選択図】図１
0003223140.tif 000002
【実用新案登録請求の範囲】
【請求項１】
筒状体であって、該筒状体の一端の開口部につながる２つの係り部を有する筒状体と、
前記筒状体の他端の開口部を開閉可能にする留め具と
を備え、
前記留め具が閉状態にあるとき、手提げ袋として使用可能な第１形態となり、
前記留め具が開状態にあるとき、ビブスとして使用可能な第２形態となる、
バッグ。
【請求項２】
前記留め具はファスナーである、請求項１に記載のバッグ。
【請求項３】
前記筒状体は、リバーシブルに構成されている、
請求項１又は２に記載のバッグ。
【請求項４】
筒状体であって、該筒状体の一端の開口部につながる２つの係り部を有する筒状体と、
前記筒状体の他端の開口部を開閉可能にする留め具と
を備え、
前記留め具が開状態にあるとき、ビブスとして使用可能な第１形態となり、
前記留め具が閉状態にあるとき、手提げ袋として使用可能な第２形態となる、
衣服。
【考案の詳細な説明】
【技術分野】
【０００１】
本考案は、ビブスの形態と、手提げ袋の形態とをとり得るバッグ及び衣服に関する。
【背景技術】
【０００２】
ベスト状の衣服であるビブスは、運動着や普段着の上に着用されるのが一般的であり、従来、各種場面で用いられている。例えば、スポーツで用いるとき、ビブスは、練習時にプレーヤー自身により着用されて、着用しているプレーヤーの所属チームを判別可能にしたり、個々のプレーヤーに背番号を割り振ることを可能にし、或いは、応援者に着用されてその応援者の応援対象を明確にしたりする。最近では、ビブスは、スポーツの場だけでなく、災害や防災、各種イベントなどで、所属団体や役割を明らかにするために様々な人に着用されるようになってきている。このように、ビブスは、様々な場面で利用されるようになってきていて、種々の改良が提案されたり現実になされたりしている（例えば特許文献１参照）。
【先行技術文献】
【特許文献】
【０００３】
【特許文献１】特開２０１１−２６７４４号公報
【考案の概要】
【考案が解決しようとする課題】
【０００４】
ところで、スポーツや各種イベント等では、参加者等は、ビブスを持参したり用意されたものを受け取ったりしてそれを持ち歩くだけでなく、その他の荷物、例えば飲み物、応援グッズなども持ち歩くのが一般的である。このように、スポーツや各種イベント等での持ち物の数は増える傾向にあり、それらの扱いについて改善の余地がある。
【０００５】
本考案の目的は、ビブスを含めた持ち物の持ち運び易さを改善することにある。
【課題を解決するための手段】
【０００６】
上記目的を達成するために、本考案の一態様は、
筒状体であって、該筒状体の一端の開口部につながる２つの係り部を有する筒状体と、
前記筒状体の他端の開口部を開閉可能にする留め具と
を備え、
前記留め具が閉状態にあるとき、手提げ袋として使用可能な第１形態となり、
前記留め具が開状態にあるとき、ビブスとして使用可能な第２形態となる、
バッグ
を提供する。
【０００７】
好ましくは、前記留め具はファスナーである。
【０００８】
前記筒状体は、リバーシブルに構成されてもよい。
【０００９】
本考案は、筒状体であって、該筒状体の一端の開口部につながる２つの係り部を有する筒状体と、前記筒状体の他端の開口部を開閉可能にする留め具とを備え、前記留め具が開状態にあるとき、ビブスとして使用可能な第１形態となり、前記留め具が閉状態にあるとき、手提げ袋として使用可能な第２形態となる、衣服にも存する。
【考案の効果】
【００１０】
本考案の一態様に係る上記バッグによれば、手提げ袋として使用可能な第１形態と、ビブスとして使用可能な第２形態とをとり得、持ち運び時は手提げ袋として、他の持ち物の持ち運び易さを高めることが可能になる。
【図面の簡単な説明】
【００１１】
【図１】本考案の一実施形態に係るバッグの斜視図であり、手提げ袋としての第１形態を示す図である。
【図２】図１のバッグの正面図であり、両サイドを広げた状態を示す。
【図３】図１のバッグが第２形態のビブスとして用いられているところを示す図である。
【考案を実施するための形態】
【００１２】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１３】
本考案の一実施形態に係るバッグ１０の斜視図を図１に示す。バッグ１０は、２つの係り部１２を有する筒状体１４と、留め具としてファスナー１６とを有する。
【００１４】
筒状体１４は、両端に開口部１４ａ、１４ｂを有する。一端の開口部１４ａに、２つの係り部１２はつなげられている。ここでは、２つの係り部１２は筒状体１４の本体部１４ｃと一体的に構成されている。しかし、係り部１２は、本体部１４ｃとは別に作製されて本体部１４ｃに取り付けられてもよい。本体部１４ｃは、図１のバッグ１０における折り返し部１４ｄを広げた状態の図２のバッグ１０から理解できるように、幅Ｗが略一定の筒状の部分である。
【００１５】
ファスナー１６は、筒状体１４の他端の開口部１４ｂを開閉可能に筒状体１４に設けられている。ファスナー１６は開口部１４ｂの全体にわたって設けられている。
【００１６】
ファスナー１６が閉状態にあるとき、バッグ１０は、手提げ袋として使用可能な第１形態となる。このとき、２つの係り部１２は、持ち手又は取っ手となる。２つの係り部１２は、持ち手となったときに使用し易いように、実質的に同じ大きさ及び形状に構成されている。
【００１７】
ファスナー１６が開状態にあるとき、バッグ１０は、ビブスとして使用可能な第２形態となる。図３は、ビブスとしてのバッグ１０の使用状態の一例を示す。このとき、２つの係り部１２は、人間の肩に係る部分となる。それ故、２つの係り部１２は、人間の両肩に係るのに適した位置になるように、筒状体１４の開口部１４ａに設けられている。また、バッグ１０をビブスとして着用できるように、筒状体１４の本体部１４ｃは人間の体のサイズに合うように作られている。
【００１８】
図１〜図３では、バッグ１０の外表面１０ａは単色になっているが、ビブスとしての使用目的に応じて、その外表面１０ａに模様、文字及び／又は数字を付したり、及び／又は例えば所望の色を付したりするとよい。ビブスとしての使用目的としては、スポーツ時の背番号の表示、チーム分けなどの他、イベント等、災害時、防災時における所属団体、役割の明示などがある。
【００１９】
上記構成のバッグ１０によれば、ファスナー１６を閉状態にしてバッグとしてつまり手提げ袋として使用することができる。これにより、例えばスポーツ観戦等に向かうときには、他の持ち物の持ち運びにバッグ１０を用いることが可能になる。一方、スポーツ観戦の場では、ファスナー１６を開状態にして、バッグ１０をビブスとして着用することが可能になる。このように、バッグ１０は手提げ袋とビブスの２役を兼ねることができる。
【００２０】
以上、一実施形態に係るバッグ１０を説明したが、他の形態も可能である。例えば、バッグ１０では、手提げ袋のときも、ビブスのときも、その外表面１０ａは同じままであった。しかし、本発明に係るバッグはリバーシブルに構成してもよい。これにより、手提げ袋時とビブス時とでその外表面の模様等を変えることが可能になる。またファスナー１６は、手提げ袋の形態のとき、ファスナー部１６ａが互いに対して噛み合う向きになっている。これをビブスとして用いるときに裏返すことで、ファスナー部１６ａが使用者の内側の着衣に向くことがなくなり、内側の着衣が傷つくことを防ぐことが可能になる。
【００２１】
また、上記バッグ１０では留め具はファスナー１６であったが、ファスナー以外のものであってもよい。例えば、留め具は面ファスナーや複数のボタンであってもよい。
【００２２】
なお、上記説明では、本考案の物品の基本形態を第１形態としての手提げ袋つまりバッグとしたが、本考案の物品の基本形態を上記第２形態のビブスつまり衣服としてもよい。つまり、本考案は、筒状体であって、該筒状体の一端の開口部につながる２つの係り部を有する筒状体と、前記筒状体の他端の開口部を開閉可能にする留め具とを備え、前記留め具が開状態にあるとき、ビブスとして使用可能な第１形態となり、前記留め具が閉状態にあるとき、手提げ袋として使用可能な第２形態となる、衣服にも存する。
【００２３】
以上、本考案の代表的な実施形態及び変形例について説明したが、本考案はそれらに限定されない。本願の実用新案登録請求の範囲によって定義される本考案の精神及び範囲から逸脱しない限り、種々の置換、変更が可能である。
【符号の説明】
【００２４】
１０  バッグ
１０ａ  外表面
１２  係り部
１４  筒状体
１４ａ、１４ｂ  開口部
１４ｃ  本体部
１６  ファスナー
【図１】
0003223140.tif 000003
【図２】
0003223140.tif 000004
【図３】
0003223140.tif 000005